(57)【特許請求の範囲】
【請求項１】
（ａ）過酸化水素、（ｂ）漂白活性化剤、（ｃ）非イオン界面活性剤、（ｄ）陽イオン界面活性剤及び（ｅ）水を含有し、組成物中の（ａ）成分の含有量が０．１〜５質量％、（ｂ）成分の含有量が０．１〜５質量％、（ｃ）成分の含有量が１０〜５０質量％、（ｄ）成分の含有量が０．１〜５質量％であって、ＪＩＳ  Ｋ３３６２：１９９８記載の２０℃で測定するｐＨが４〜８である液体洗浄剤組成物の製造方法であって、下記工程（１）、工程（２）及び工程（３）を含む液体洗浄剤組成物の製造方法。
工程（１）：（ｂ）成分を（ｅ）成分の少なくとも一部に溶解させる工程
工程（２）：工程（１）で得られた溶液と（ｄ）成分の少なくとも一部とを混合する工程
工程（３）：工程（２）で得られた混合物と残りの成分を混合する工程
【請求項２】
工程（１）における（ｂ）成分と（ｅ）成分の割合が、（ｂ）成分／（ｅ）成分（質量比）＝１／５０〜１／１である請求項１記載の製造方法。
【請求項３】
工程（２）における（ｂ）成分と（ｄ）成分の割合が、（ｂ）成分／（ｄ）成分（質量比）＝１００／１〜１／１０である請求項１又は２記載の製造方法。
【請求項４】
組成物中の（ａ）成分と（ｃ）成分の割合が、（ａ）成分／（ｃ）成分（質量比）＝１／５０〜１／２である請求項１〜３何れか１項記載の製造方法。
【請求項５】
（ｂ）成分が一般式（Ｉ）で表される化合物である請求項１〜４何れか１項記載の製造方法。
【化１】
0004786334.tif 000008
〔式中、Ｒ1は直鎖又は分岐鎖の炭素数５〜１９のアルキル基あるいはアルケニル基を示し、Ｚは−ＳＯ3Ｍ又は−ＣＯＯＭ（Ｍは水素原子、あるいは有機又は無機の陽イオン）を示す。〕
【請求項６】
（ｃ）成分が一般式（II）で表される化合物である請求項１〜５何れか１項記載の製造方法。
Ｒ2−Ｘ−(ＡＯ)m−Ｙ      （II）
〔式中、Ｒ2は直鎖又は分岐鎖の炭素数６〜２２のアルキル基又はアルケニル基を示すか、あるいは直鎖又は分岐鎖の総炭素数１〜１８のアルキル基が置換していてもよいアリール基を示す。Ｘは−Ｏ−基又は−ＣＯＯ−基を示す。Ａは直鎖又は分岐鎖の炭素数２〜３のアルキレン基を示し、ｍ個のＡは同一でも異なっていてもよい。Ｙは水素原子又は炭素数１〜３のアルキル基を示す。ｍはアルキレンオキサイドの平均付加モル数を示す３〜５０の数である。〕
【請求項７】
（ｄ）成分が一般式(IV)で表される第４級アンモニウム塩である請求項１〜６何れか１項記載の製造方法。
【化２】
0004786334.tif 000009
〔式中、Ｒ4，Ｒ5，Ｒ6，Ｒ7は少なくとも１つが直鎖もしくは分岐鎖の炭素数１０〜２０のアルキル基又はアルケニル基を示し、残りが炭素数１〜３のアルキル基又はヒドロキシアルキル基を示す。Ｌ-は有機又は無機の陰イオン基を示す。〕
【請求項８】
ＪＩＳ  Ｋ３３６２：１９９８記載の２０℃で測定する液体洗浄剤組成物の０．１質量％水溶液のｐＨが、ＪＩＳ  Ｋ３３６２：１９９８記載の２０℃で測定する液体洗浄剤組成物のｐＨよりも０．５以上高い、請求項１〜７何れか１項記載の製造方法。
【発明の詳細な説明】
【技術分野】
【０００１】
本発明は、漂白活性化剤を含有する液体洗浄剤組成物の製造方法、及びその製造方法により得られる液体洗浄剤組成物に関する。
【背景技術】
【０００２】
漂白剤は塩素系漂白剤と酸素系漂白剤に分けられるが、塩素系漂白剤は使用できる繊維に制限があり、さらには色柄ものには使用できないことや特有の刺激臭を有していることから、これらの欠点のない酸素系漂白剤を含有する洗浄剤組成物が最近著しく普及している。この酸素系漂白剤のうち、過炭酸ナトリウム、過ホウ酸ナトリウムが粉末酸素系漂白剤として使用されており、過酸化水素が液体酸素系漂白剤として使用されている。
【０００３】
この液体酸素系漂白剤は、漂白活性種として使用される過酸化水素の安定性が悪いため、過酸化水素を配合した組成物は、そのｐＨを３以下の酸性にし、洗浄力を犠牲にした組成物が一般的であり、このため、衣料用として用いる場合は、アルカリ成分を有する洗剤等と同時に使用することが一般的であった。
【０００４】
洗浄力、漂白性能を増強するために、漂白活性化剤の添加や界面活性剤の増量配合が検討されている（例えば特許文献１、２参照）が、高ｐＨ、高界面活性剤濃度の組成物を通常の製造方法によって製造した場合、安定性、特に漂白活性化剤の安定性が良好な組成物は得られなかった。
【特許文献１】特開平９−４８９９８号公報
【特許文献２】特開２０００−４４９９２号公報
【発明の開示】
【発明が解決しようとする課題】
【０００５】
本発明の課題は、上記組成物を単独使用でも十分な洗浄性能を有し、漂白効果、安定性の優れた液体洗浄剤組成物の製造方法、及びその製造方法により得られる液体洗浄剤組成物を提供することにある。
【課題を解決するための手段】
【０００６】
本発明は、（ａ）過酸化水素、（ｂ）漂白活性化剤、（ｃ）非イオン界面活性剤、（ｄ）陽イオン界面活性剤及び（ｅ）水を含有し、組成物中の（ａ）成分の含有量が０．１〜５質量％、（ｂ）成分の含有量が０．１〜５質量％、（ｃ）成分の含有量が１０〜５０質量％、（ｄ）成分の含有量が０．１〜５質量％であって、ＪＩＳ  Ｋ３３６２：１９９８記載の２０℃で測定するｐＨが４〜８である液体洗浄剤組成物の製造方法であって、下記工程（１）、工程（２）及び工程（３）を含む液体洗浄剤組成物の製造方法、並びにこの製造方法により得られる液体洗浄剤組成物を提供する。
【０００７】
工程（１）：（ｂ）成分を（ｅ）成分の少なくとも一部に溶解させる工程
工程（２）：工程（１）で得られた溶液と（ｄ）成分の少なくとも一部とを混合する工程
工程（３）：工程（２）で得られた混合物と残りの成分を混合する工程
【発明の効果】
【０００８】
本発明により、上記組成物を単独使用でも十分な洗浄性能を有し、漂白効果、安定性の優れた液体洗浄剤組成物が得られる。
【発明を実施するための最良の形態】
【０００９】
［（ａ）成分］
本発明の液体洗浄剤組成物は（ａ）成分として過酸化水素を含有する。
【００１０】
［（ｂ）成分］
本発明の液体洗浄剤組成物は（ｂ）成分として漂白活性化剤を含有する。
【００１１】
漂白活性化剤としては、酸素系漂白剤含有洗剤に一般的に用いられる、グルコースペンタアセテート、トリアセチン等の漂白活性化剤を使用することができるが、漂白効果、安定性の観点から、下記一般式（Ｉ）で表される化合物（過酸前駆体）が好ましい。
【００１２】
【化３】
0004786334.tif 000002
【００１３】
〔式中、Ｒ1は直鎖又は分岐鎖の炭素数５〜１９のアルキル基あるいはアルケニル基を示し、Ｚは−ＳＯ3Ｍ又は−ＣＯＯＭ（Ｍは水素原子、あるいは有機又は無機の陽イオン）を示す。〕
一般式（Ｉ）中のＲ1は、直鎖又は分岐鎖の炭素数５〜１９のアルキル基あるいはアルケニル基を示すが、漂白効果、安定性の観点から、炭素数７〜１８、更に１０〜１３のアルキル基あるいはアルケニル基が好ましく、分岐鎖のアルキル基あるいはアルケニル基が特に好ましい。また、Ｍで示される有機又は無機の陽イオンとしては、アルカリ金属イオン、アルカリ土類金属イオン、アンモニウムイオン、アルカノールアンモニウムイオン等が挙げられ、中でもナトリウムイオン、カリウムイオンが好ましく、特にナトリウムイオンが好ましい。
【００１４】
一般式（Ｉ）で表される化合物の好ましい例としては、オクタノイルオキシ−ｐ−ベンゼンスルホン酸、ノナノイルオキシ−ｐ−ベンゼンスルホン酸、３，５，５−トリメチルヘキサノイルオキシ−ｐ−ベンゼンスルホン酸、デカノイルオキシ−ｐ−ベンゼンスルホン酸、ドデカノイルオキシ−ｐ−ベンゼンスルホン酸、オクタノイルオキシ−ｏ−又は−ｐ−ベンゼンカルボン酸、ノナノイルオキシ−ｏ−又は−ｐ−ベンゼンカルボン酸、３，５，５−トリメチルヘキサノイルオキシ−ｏ−又は−ｐ−ベンゼンカルボン酸、デカノイルオキシ−ｏ−又は−ｐ−ベンゼンカルボン酸、ドデカノイルオキシ−ｏ−又は−ｐ−ベンゼンカルボン酸及びこれらの塩等が挙げられ、３，５，５−トリメチルヘキサノイルオキシ−ｐ−ベンゼンスルホン酸が特に好ましい。
【００１５】
［（ｃ）成分］
本発明の液体洗浄剤組成物は（ｃ）成分として非イオン界面活性剤を含有する。
【００１６】
非イオン界面活性剤としては、ポリオキシアルキレンソルビタン脂肪酸エステル、ポリオキシアルキレン脂肪酸エステル、ポリオキシアルキレンアルキルエーテル、ポリオキシアルキレンアルキルフェニルエーテル、ショ糖脂肪酸エステル、ソルビタン脂肪酸エステル、脂肪酸アルカノールアミド、アルキルグリコシド等が挙げられる。中でもポリオキシアルキレンアルキルエーテル、ポリオキシアルキレン脂肪酸エステル、及びアルキルグリコシドが洗浄性能、安定性、液物性の観点で好ましく、下記一般式（II）で表される化合物、下記一般式(III)で表される化合物が更に好ましい。
【００１７】
Ｒ2−Ｘ−(ＡＯ)m−Ｙ      （II）
〔式中、Ｒ2は直鎖又は分岐鎖の炭素数６〜２２のアルキル基又はアルケニル基を示すか、あるいは直鎖又は分岐鎖の総炭素数１〜１８のアルキル基が置換していてもよいアリール基を示す。Ｘは−Ｏ−基又は−ＣＯＯ−基を示す。Ａは直鎖又は分岐鎖の炭素数２〜３のアルキレン基を示し、ｍ個のＡは同一でも異なっていてもよい。Ｙは水素原子又は炭素数１〜３のアルキル基を示す。ｍはアルキレンオキサイドの平均付加モル数を示す３〜５０の数である。〕
Ｒ3−(Ｇ)p       (III)
〔式中、Ｒ3は直鎖又は分岐鎖の炭素数１０〜２０、好ましくは１２〜１８のアルキル基、Ｇはグルコース等の単糖残基、ｐは平均値で１〜１０、好ましくは１〜５の数を示す。〕
これらの非イオン界面活性剤の中では、一般式(II)において、Ｘが−Ｏ−基であるポリオキシアルキレンアルキルエーテルが好ましく、特にエチレンオキサイド平均付加モル数３〜１５（好ましくは４〜９）、アルキル基の炭素数１０〜１８（好ましくは１２〜１４）のポリオキシエチレンアルキルエーテルが好ましい。
【００１８】
［（ｄ）成分］
本発明の液体洗浄剤組成物は（ｄ）成分として陽イオン界面活性剤を含有する。
【００１９】
陽イオン界面活性剤としては、洗浄性能、安定性の観点から下記一般式(IV)で表される第４級アンモニウム塩が好ましい。
【００２０】
【化４】
0004786334.tif 000003
【００２１】
〔式中、Ｒ4，Ｒ5，Ｒ6，Ｒ7は少なくとも１つが直鎖もしくは分岐鎖の炭素数１０〜２０のアルキル基又はアルケニル基を示し、残りが炭素数１〜３のアルキル基又はヒドロキシアルキル基を示す。Ｌ-は有機又は無機の陰イオン基を示す。〕
一般式(IV)で表される第４級アンモニウム塩として、Ｒ4，Ｒ5，Ｒ6，Ｒ7のうち１つ又は２つが直鎖もしくは分岐鎖の炭素数１０〜２０、好ましくは１２〜１８のアルキル基又はアルケニル基で、残りが炭素数１〜３のアルキル基又はヒドロキシアルキル基であるものが好ましい。Ｌ-で示される有機又は無機の陰イオン基としては、塩素イオン等のハロゲンイオン、メチル硫酸イオン、エチル硫酸イオン等のアルキル硫酸イオンが挙げられる。
【００２２】
［液体洗浄剤組成物］
本発明に係わる液体洗浄剤組成物は、上記（ａ）成分、（ｂ）成分、（ｃ）成分、（ｄ）成分及び（ｅ）成分を含有する。
【００２３】
本発明の組成物中の（ａ）成分の含有量は、洗浄性能、安定性、被洗浄物の損傷防止の観点から０．１〜５質量％であり、０．５〜４質量％が好ましく、１〜３．５質量％がより好ましく、１．５〜３質量％が更に好ましい。
【００２４】
本発明の組成物中の（ｂ）成分の含有量は、洗浄性能、安定性、被洗浄物の損傷防止の観点から０．１〜５質量％であり、０．３〜４．５質量％が好ましく、０．５〜４質量％がより好ましく、０．８〜３．５質量％が更に好ましく、１〜３質量％が特に好ましい。
【００２５】
本発明の組成物中の（ｃ）成分の含有量は、洗浄性能、安定性、溶解性の観点から１０〜５０質量％であり、１２〜４５質量％が好ましく、１４〜４０質量％がより好ましく、１６〜３５質量％が更に好ましい。
【００２６】
本発明の組成物中の（ｄ）成分の含有量は、洗浄性能、安定性の観点から０．１〜５質量％であり、０．２〜４質量％が好ましく、０．３〜３質量％がより好ましい。
【００２７】
本発明の組成物中の（ｅ）成分の含有量は、粘度物性、安定性の観点から３０〜９５質量％が好ましく、３５〜９０質量％がより好ましく、４０〜８０質量％が更に好ましい。
【００２８】
本発明の組成物中の（ａ）成分と（ｃ）成分の配合割合は、洗浄性能、安定性の観点から（ａ）成分／（ｃ）成分（質量比）＝１／５０〜１／２が好ましく、１／２０〜１／３がより好ましく、１／１０〜１／５が更に好ましい。
【００２９】
本発明に係わる液体洗浄剤組成物は、更に、安定性、洗浄性能の観点から（ｆ）成分として、ホスホン酸系金属捕捉剤を含有することが好ましい。本発明の組成物中の（ｆ）成分の含有量は、０．０１〜１質量％が好ましく、０．０５〜０．８質量％がより好ましく、０．１〜０．５質量％が更に好ましい。
【００３０】
ホスホン酸系金属捕捉剤としては、１−ヒドロキシエタン−１，１−ジホスホン酸、エタン−１，１−ジホスホン酸、エタン−１，１，２−トリホスホン酸、ヒドロキシエタン−１，１，２−トリホスホン酸、エタン−１，２−ジカルボキシ−１，２−ジホスホン酸、ヒドロキシメタンホスホン酸、エチレンジアミンテトラ（メチレンホスホン酸）、ニトリロトリ（メチレンホスホン酸）、２−ヒドロキシエチルイミノジ（メチレンホスホン酸）、ヘキサメチレンジアミンテトラ（メチレンホスホン酸）、ジエチレントリアミンペンタ（メチレンホスホン酸）等の有機ホスホン酸誘導体やその塩を挙げることができる。これらの中でも１−ヒドロキシエタン−１，１−ジホスホン酸やその塩が好ましい。
【００３１】
本発明に係わる液体洗浄剤組成物は、更に、安定性、洗浄性能の観点から（ｇ）成分としてフェノール系ラジカルトラップ剤を含有することが好ましい。本発明の組成物中の（ｇ）成分の含有量は、０．０５〜５質量％が好ましく、０．１〜３質量％がより好ましく、０．５〜２質量％が更に好ましい。
【００３２】
フェノール系ラジカルトラップ剤としては、フェノール性水酸基を有する化合物又はフェノール性水酸基のエステル誘導体、エーテル誘導体等が挙げられる。このような化合物として、より具体的には、クレゾール、チモール、クロロフェノール、ブロモフェノール、メトキシフェノール、ニトロフェノール、ヒドロキシ安息香酸、サリチル酸、ヒドロキシベンゼンスルホン酸、ジ−ｔ−ブチル−ヒドロキシトルエン、ナフトール、ヒドロキノン、カテコール、ピロガロール、フェノキシエタノール、フェノールなどが挙げられる。これらの中でも４−メトキシフェノール、４−ヒドロキシ安息香酸、ヒドロキノン、カテコールがより好ましく、更にラジカルトラップ剤の安定性を考慮すれば、これらの中でも４−メトキシフェノール、４−ヒドロキシ安息香酸が更に好ましく、４−メトキシフェノールが特に好ましい。
【００３３】
本発明に係わる液体洗浄剤組成物は、更に、安定性、洗浄性能、ｐＨ調整の観点から（ｈ）成分としてホウ素化合物を含有することが好ましい。本発明の組成物中の（ｈ）成分の含有量は０．０１〜２０質量％が好ましく、０．０５〜１５質量％がより好ましく、０．１〜１０質量％が更に好ましく、０．５〜５質量％が特に好ましい。
【００３４】
ホウ素化合物としては、ホウ酸又はその塩（より詳細には、オルトホウ酸又はその塩、メタホウ酸又はその塩、ラトラホウ酸又はその塩、五ホウ酸又はその塩、六ホウ酸又はその塩、八ホウ酸又はその塩等）、三酸化ホウ素、ホウ砂等が挙げられる。塩としては、ナトリウム塩、カリウム塩、マグネシウム塩、アンモニウム塩等が挙げられる。本発明の（ｃ）成分は、オルトホウ酸又はメタホウ酸、あるいはそれらのナトリウム塩又はカリウム塩が好適である。
【００３５】
本発明に係わる液体洗浄剤組成物は、更に、安定性、洗浄性能、ｐＨ調整の観点から（ｉ）成分としてポリオール化合物を含有することが好ましい。本発明の組成物中の（ｉ）成分の含有量は０．１〜３０質量％が好ましく、０．５〜２５質量％がより好ましく、１〜２０質量％が更に好ましく、５〜１５質量％が特に好ましい。
【００３６】
ポリオール化合物としては、グルコース、マンノース、ガラクトース、フルクトース、リボース、エリトロース、キシルロース、グルコン酸、ガラクトン酸、マンノン酸、グルクロン酸、マルトース、セロビオース、ラクトース、スクロース、サッカロース、ソルビトール、マンニトール等及びそれらの誘導体としてアルキルグルコシド等の糖又は糖誘導体、グリセリン、グリセリンモノアルキルエーテル等のグリセリン誘導体、ブタンジオール、ヘキサンジオール、オクタンジオール、デカンジオール等のアルキルジオール、エチレングリコール、プロピレングリコール、へキシレングリコール等のジオール化合物を挙げることができる。
【００３７】
本発明に係わる液体洗浄剤組成物は、洗浄性能、安定性の観点からＪＩＳ  Ｋ３３６２：１９９８記載の界面活性剤相当分が１２〜５０質量％であることが好ましく、１５〜４５質量％がより好ましく、２０〜４０質量％が更に好ましい。
【００３８】
本発明に係わる液体洗浄剤組成物は、洗浄性能、安定性の観点からＪＩＳ  Ｋ３３６２：１９９８記載の２０℃で測定するｐＨが４〜８であり、４．２〜７．５が好ましく、４．４〜７がより好ましく、４．６〜６．５が更に好ましく、４．８〜６が特に好ましい。
【００３９】
本発明に係わる液体洗浄剤組成物は、洗浄性能の観点から、ＪＩＳ  Ｋ３３６２：１９９８記載の２０℃で測定する液体洗浄剤組成物の０．１質量％水溶液のｐＨが、ＪＩＳ  Ｋ３３６２：１９９８記載の２０℃で測定する液体洗浄剤組成物のｐＨよりも０．５以上高いことが好ましく、１以上高いことがより好ましく、１．５以上高いことが更に好ましく、２以上高いことが特に好ましい。
【００４０】
また、本発明に係わる液体洗浄剤組成物のＪＩＳ  Ｋ３３６２：１９９８記載の測定による０．１質量％水溶液の２０℃におけるｐＨは、洗浄性能、液体物性の観点から、好ましくは７〜１０、より好ましくは７．２〜９．５、更に好ましくは７．５〜９である。
【００４１】
このようなｐＨに調整するためのｐＨ調整剤としては塩酸、硫酸等の無機酸、もしくはクエン酸、コハク酸、リンゴ酸、フマル酸、酒石酸、マロン酸、マレイン酸等の有機酸などの酸剤、又は水酸化ナトリウムや水酸化カリウム、アンモニア及びその誘導体、アミン塩（モノエタノールアミン、ジエタノールアミン、トリエタノールアミンなど）、炭酸ナトリウム、炭酸カリウムなどのアルカリ剤を、単独もしくは複合して用いることが好ましく、特に塩酸、硫酸から選ばれる酸剤、又は水酸化ナトリウム、水酸化カリウムから選ばれるアルカリ剤を用いることが好ましい。
【００４２】
また、本発明に係わる液体洗浄剤組成物の２０℃における粘度は、洗浄性能、液体物性の観点から、好ましくは３０〜４００ｍＰａ・ｓ、より好ましくは４０〜３００ｍＰａ・ｓ、更に好ましくは５０〜２００ｍＰａ・ｓ、特に好ましくは６０〜１００ｍＰａ・ｓである。
【００４３】
本発明に係わる液体洗浄剤組成物は、漂白効果を高める目的から分散剤を含有することが好ましく、組成物中の分散剤の含有量は０．０５〜１４質量％が好ましく、０．１〜８質量％がより好ましい。分散剤としては、特に、重量平均分子量５千〜４万、好ましくは５千〜１万のポリアクリル酸もしくはその塩又はポリメタクリル酸もしくはその塩、重量平均分子量１万〜１０万、好ましくは３万〜７万のアクリル酸とマレイン酸とのコポリマーもしくはその塩から選ばれるカルボン酸系ポリマー、及び／又は重量平均分子量４千〜２万、好ましくは５千〜１万のポリエチレングリコールから選ばれる非イオン性ポリマーが好ましい。
【００４４】
本発明に係わる液体洗浄剤組成物は、漂白繊維に対する漂白効果を増すために蛍光増白剤として、チノパールＣＢＳ（チバ・ガイギー社製）、チノパールＳＷＮ（チバ・ガイギー社製）や、カラー・インデックス蛍光増白剤２８、４０、６１、７１等のような蛍光増白剤や、漂白性能を向上させるために酵素（セルラーゼ、アミラーゼ、プロテアーゼ、リパーゼ）を含有することができる。また染料や顔料のような着色剤、香料、シリコーン類、殺菌剤、紫外線吸収剤等の種々の微量添加物を適量配合してもよい。
【００４５】
［液体洗浄剤組成物の製造方法］
本発明に係わる液体洗浄剤組成物の製造方法は、（ｂ）成分を（ｅ）成分の少なくとも一部に溶解させる工程（１）、工程（１）で得られた溶液と（ｄ）成分の少なくとも一部とを混合する工程（２）、及び工程（２）で得られる混合物と残りの成分を混合する工程（３）を含む。
【００４６】
工程（１）において、安定性、生産性の観点より、（ｂ）成分と（ｅ）成分の割合は、（ｂ）成分／（ｅ）成分（質量比）＝１／５０〜１／１であることが好ましく、１／３０〜１／２であることがより好ましく、１／１０〜１／３であることが更に好ましい。
【００４７】
工程（１）における温度は、（ｂ）成分の安定性、溶解性の観点から５〜５０℃が好ましく、１０〜４５℃がより好ましく、１５〜４０℃が更に好ましい。
【００４８】
工程（２）においては、工程（１）で得られた溶液と（ｄ）成分の少なくとも一部とを混合することにより、（ｂ）成分と（ｄ）成分とのコンプレックスを形成させることができる。安定性、生産性の観点より、（ｂ）成分と（ｄ）成分の割合は、（ｂ）成分／（ｄ）成分（質量比）＝１００／１〜１／１０であることが好ましく、５０／１〜１／５であることがより好ましく、１０／１〜１／２であることが更に好ましい。
【００４９】
工程（２）における温度は、（ｂ）成分の安定性の観点から５〜５０℃が好ましく、１０〜４５℃がより好ましく、１５〜４０℃が更に好ましい。
【００５０】
工程（３）においては、安定性、生産性の観点より、（ａ）成分を除く、（ｂ）〜（ｅ）成分、要すれば（ｂ）〜（ｉ）成分を全て混合した後に（ａ）成分を添加することが好ましい。特に（ａ）成分以外を混合し、ｐＨ調整、粘度調整を行った後に（ａ）成分を添加することが好ましい。
【００５１】
工程（３）における温度は、（ｂ）成分の安定性の観点から５〜５０℃が好ましく、１０〜４５℃がより好ましく、１５〜４０℃が更に好ましい。
【実施例】
【００５２】
実施例１〜９及び比較例１〜５
下記成分を用い、下記の製法Ａ〜Ｄにより表１に示す組成の液体洗浄剤組成物を調製した。得られた液体洗浄剤組成物について、３０℃にて４０日間の保存を行い、保存後の液体洗浄剤組成物について、以下に示す方法により、漂白活性化剤の残存率を測定し、洗浄性能の評価、漂白性能の評価、外観評価を行った。その結果を表１に示す。
【００５３】
＜配合成分＞
（ａ）成分
ａ−１；過酸化水素
（ｂ）成分
ｂ−１；ドデカノイルオキシ−ｐ−ベンゼンスルホン酸
ｂ−２；ノナノイルオキシ−ｐ−ベンゼンスルホン酸
ｂ−３；３，５，５−トリメチルヘキサノイルオキシ−ｐ−ベンゼンスルホン酸
ｂ−４；３，５，５−トリメチルヘキサノイルオキシ−ｐ−ベンゼンカルボン酸
（ｃ）成分
ｃ−１；ＣＨ3(ＣＨ2)11-Ｏ-(Ｃ2Ｈ4Ｏ)6-Ｈ
ｃ−２；ＣＨ3(ＣＨ2)11-Ｏ-(Ｃ2Ｈ4Ｏ)10-Ｈ
ｃ−３；ＣＨ3(ＣＨ2)11-Ｏ-(Ｃ2Ｈ4Ｏ)5-(Ｃ3Ｈ6Ｏ)2-(Ｃ2Ｈ4Ｏ)3-Ｈ
ｃ−４；ラウリルグルコシド（式(III)において、Ｒ3が炭素数１２のアルキル基、Ｇがグルコース残基、ｐが１．１）
（ｄ）成分
ｄ−１；下記式(IV−１)で表される第４級アンモニウム塩
ｄ−２；下記式(IV−２)で表される第４級アンモニウム塩
ｄ−３；下記式(IV−３)で表される第４級アンモニウム塩
ｄ−４；下記式(IV−４)で表される第４級アンモニウム塩
【００５４】
【化５】
0004786334.tif 000004
【００５５】
（ｆ）成分
ｆ−１；１−ヒドロキシエタン−１，１−ジホスホン酸（ディクエスト２０１０、ソルーシア社製）
（ｇ）成分
ｇ−１；４−メトキシフェノール
（ｈ）成分
ｈ−１；オルトホウ酸
（ｉ）成分
ｉ−１；ソルビトール
＜液体洗浄剤組成物の製造方法＞
・製法Ａ
工程（１）：（ｂ）成分全量１００質量部を、（ｅ）成分９００質量部に均一に溶解させた。この時の温度は４０℃であった。
【００５６】
工程（２）：工程（１）で得られた溶液に、（ｄ）成分１００質量部（（ｄ）成分を２種以上用いる場合は合計で１００質量部、最終組成物と同じ比率で用いた）を攪拌しながら徐々に添加し、（ｂ）成分と（ｄ）成分とのコンプレックスを形成させた。この時の温度は２０℃であった。
【００５７】
工程（３）：工程（２）で得られた混合物に、（ａ）成分以外の残部を攪拌しながら徐々に添加した。均一に混合した後、（ａ）成分を攪拌しながら徐々に添加し、均一溶液を得た。この時の温度は２０℃であった。
【００５８】
・製法Ｂ
工程（１）：（ｂ）成分全量１００質量部を、（ｅ）成分９００質量部に均一に溶解させた。この時の温度は４０℃であった。
【００５９】
工程（２）：工程（１）で得られた溶液に、（ｄ）成分１０質量部（（ｄ）成分を２種以上用いる場合は合計で１０質量部、最終組成物と同じ比率で用いた）を攪拌しながら徐々に添加し、（ｂ）成分と（ｄ）成分とのコンプレックスを形成させた。この時の温度は２０℃であった。
【００６０】
工程（３）：工程（２）で得られた混合物に、（ａ）成分以外の残部を攪拌しながら徐々に添加した。均一に混合した後、（ａ）成分を攪拌しながら徐々に添加し、均一溶液を得た。この時の温度は２０℃であった。
【００６１】
・製法Ｃ
工程（１）：（ｂ）成分全量１００質量部を、（ｅ）成分４００質量部に均一に溶解させた。この時の温度は４０℃であった。
【００６２】
工程（２）：工程（１）で得られた溶液に、（ｄ）成分２．５質量部（（ｄ）成分を２種以上用いる場合は合計で２．５質量部、最終組成物と同じ比率で用いた）を攪拌しながら徐々に添加し、（ｂ）成分と（ｄ）成分とのコンプレックスを形成させた。この時の温度は２０℃であった。
【００６３】
工程（３）：工程（２）で得られた混合物に、（ａ）成分以外の残部を攪拌しながら徐々に添加した。均一に混合した後、（ａ）成分を攪拌しながら徐々に添加し、均一溶液を得た。この時の温度は２０℃であった。
【００６４】
・製法Ｄ
全ての成分を同時に混合した。この時の温度は２０℃であった。
【００６５】
＜漂白活性化剤残存率の測定＞
高速液体クロマトグラフィー（ＨＰＬＣ）にて、保存前及び３０℃、４０日間保存後の組成物中の漂白活性化剤の含有量をそれぞれ測定し、下記式で漂白活性化剤の残存率を求めた。
【００６６】
【数１】
0004786334.tif 000005
【００６７】
＜洗浄性能の評価＞
液体洗浄剤組成物０．０７％水溶液１リットルに湿式汚染布（洗濯科学協会から販売されているもの）５枚を入れ、ターゴトメーターにて１００ｒ／ｍｉｎで次の条件で洗浄した。
洗浄条件
洗浄時間；１５分間
洗浄剤濃度；０．０７％
水の硬度；７１．２ｍｇ  ＣａＣＯ3／リットル（４°ＤＨ）
水温；３５℃
すすぎ；ｐＨ６の水にて５分間
洗浄力は汚染前の原布及び洗浄前後の、５５０ｎｍにおける反射率を測色色差計（日本電色工業（株）製、Ｚ−３００Ａ）にて測定し、次式によって洗浄率（％）を求め、５枚の洗浄率の平均値で示した。
【００６８】
【数２】
0004786334.tif 000006
【００６９】
＜漂白性能の評価＞
日東紅茶（黄色パッケージ）８０ｇを３Ｌのイオン交換水にて約１５分間煮沸後、糊抜きしたさらし木綿でこし、この液に木綿金布＃２００３を浸し、約１５分間煮沸した。そのまま火よりおろし、約２時間程度放置後、布を取りだし自然乾燥させ、洗液に色がつかなくなるまで水洗し、脱水、プレス後、１０ｃｍ×１０ｃｍの試験片（紅茶汚染布）として実験に供した。
【００７０】
洗浄性能の評価と同様の洗浄条件（汚染布のみ変更）にて洗浄し、同様に洗浄率（％）を求めた。尚、反射率は４６０ｎｍフィルターを使用して測定した。
【００７１】
＜外観評価＞
目視にて状態を観察して評価した。
【００７２】
【表１】
0004786334.tif 000007